(57)【要約】  ストラップ（２１）によって対象物に加えられる圧力を表示するための装置。装置は、ストラップの端部を受けるとともに、変形可能なスプリング手段（２２）の作用に抗してストラップ端部を装置を通じて引張ることができるようになり、これにより、対象物に加えられる圧力が漸進的に増大する。スプリング手段は、その加えられる圧力に応じて漸進的に偏位する。リンク手段（２４）は、スプリング手段の偏位をポインタ（２３）の動きに変え、ポインタは、ストラップ（２５）上のいくつかの基準マーキングに対して、ストラップにより加えられる圧力の表示を与える。【選択図】図１
2009508613.tif 000002
【特許請求の範囲】
【請求項１】
使用中にストラップに張力が掛けられるときに、対象物に対して取り付けられるストラップによって対象物に加えられる圧力を表示するための装置であって、装置は、ストラップの端部を受けるとともに、使用時にストラップ端部と協働する変形可能なスプリング手段の作用に抗してストラップ端部を装置を通じて引張ることができるようになり、これにより、ストラップ端部が装置を通じて引張られ、それにより、対象物に加えられる圧力が漸進的に増大すると、その加えられる圧力に応じてスプリング手段が漸進的に偏位し、また、装置は、スプリング手段の偏位をポインタの動きに結び付ける手段を有し、ポインタがストラップにより加えられる圧力の表示を与える、圧力表示装置。
【請求項２】
スプリング手段が弾性変形可能であり、それにより、同じあるいは他の損傷していないストラップと共に装置を再使用できる、請求項１に記載の圧力表示装置。
【請求項３】
ポインタは、スプリングの偏位変位が増大するにつれてストラップの幅寸法にわたって漸進的に移動するように方向付けられる、請求項１または請求項２に記載の圧力表示装置。
【請求項４】
ストラップ端部が装置を通じて引張られるときにストラップが対象物に対するその圧力を緩めることを防止する戻り止めゲートを組み込む、請求項１から請求項３のいずれかに記載の圧力表示装置。
【請求項５】
戻り止めゲートは、ストラップを破壊しなければその後に解放することができない、請求項４に記載の圧力表示装置。
【請求項６】
請求項１から請求項５のいずれかに記載の圧力表示装置と、前記装置と協働するようになっているストラップとの組み合わせ体であって、使用時に装置を通過し、且つストラップの移動が止まるときにユーザが見ることができるストラップの部位に基準データがマークされている、組み合わせ体。
【請求項７】
前記データは、所定の圧力に達したかあるいは所定の圧力を超えたか否かを示すためにポインタと視覚的に相互作用する、請求項６に記載の組み合わせ体。
【請求項８】
ストラップによってこれまで対象物に加えられた圧力を解放するために、ストラップの一部が脆弱化されあるいは比較的容易にユーザにより全体的に又は部分的に破壊されるように形成されている、請求項６または請求項７に記載の組み合わせ体。
【請求項９】
ストラップは、その破壊によってストラップを再使用できないようにするべく形成されている、請求項８に記載の組み合わせ体。
【請求項１０】
ストラップが実質的に伸張しない材料から形成される、請求項６から請求項９のいずれかに記載の組み合わせ体。
【発明の詳細な説明】
【技術分野】
【０００１】
本発明は、ストラップによって加えられる圧力を表示するための圧力表示装置に関する。
【０００２】
ストラップによって与えられた特定の圧力を表示することが役立つ多数の状況が存在する。１つは医療用止血帯を使用するときである。他の１つは、パイプなどの円筒状対称物の束が一緒に結び付けられるべき場合である。第３としては、いわゆるカーテンサイダローリ（ｃｕｒｔａｉｎ  ｓｉｄｅｒ  ｌｏｒｒｙ）の防水布側を締め付ける多くのバックル留めされたストラップがそれぞれ、それらが累積的に押さえ付ける防水布上で略同じ圧力までピンと張られるべき場合である。
【０００３】
本発明はこれらの３つの全ての状況およびそれよりも多くの状況に適用できるが、主に医療用止血帯に関連して本発明を説明する。
【背景技術】
【０００４】
医療用止血帯は、患者の腕の周囲に巻き付けられて締め付けられることにより、患者からの血液サンプルの取得を助けるために使用される。この作用は、関連する血管を通じた血流を制限し、それにより、看護師または医師が血管中に針を挿入することが容易になるように血管が拡張される。必要とされる圧力は、患者間で、特に子供と大人との間で異なる。力（すなわち、ストラップにおける張力の大きさ）は、非常に大きな力が加えられてあざを引き起こすかもしれない場合には、一部の患者に不快感をもたらす可能性がある。
【０００５】
あるいは、不十分な圧力が加えられる場合には、血管が膨張せず、静脈注射が困難になりあるいは不可能にさえなる。
【０００６】
既知の止血帯装置は、多くの場合に高価であり、あるいは、取り扱いが容易ではなく、または、その両方である。織テープは第１のカテゴリに入る。簡単なゴムバンドまたは手術用手袋は第２のカテゴリに適合する。本質的に、どのような場合でも正しい圧力の評価は、所定期間にわたって学んだ技術を使用する訓練を受けた専門家によって行なわれなければならず、止血帯によって四肢（手や足）に実際に加えられる圧力の表示を伴うことなく行わなければならない。
【０００７】
無論、止血帯は、圧力を加えることにより動脈が分断された場所で血流を制限しあるいは止めるために使用される。そのような緊急の場合には、血流を制限しあるいは止めるのに十分な圧力を加えることが絶対に必要である。適切な圧力が加えられたという積極的な視覚的表示を与える止血帯は、あまり訓練を積んでいない初心者によって安全に使用できる。
【０００８】
止血帯が滅菌されることなく多くの異なる患者に対してあまりにも容易に使用され得るという点で、止血帯に伴う付随的問題が存在する。これは、感染の伝達をもたらし得る。したがって、一度使用した後にだけ積極的に役に立たないようにされ、それにより、ユーザがその処分を余儀なくされ、二次汚染の危険が終了される、使い捨て可能な使用（理想的には一度きりの使用）が簡単な止血帯の更なる必要性が存在する。
【０００９】
要約すると、適切な圧力がストラップによって加えられている（例えば止血帯が患者の四肢で使用されている）という表示を与えることができる簡単な装置、および、論議中の場合では、好ましくは使い捨て可能な装置、好ましくは一度きりの使用の止血帯である止血帯を有することが有用である。
【発明の開示】
【００１０】
本発明の最も広範な態様において、本発明は、使用中にストラップに張力が掛けられるときに、対象物に対して取り付けられるストラップによって対象物に加えられる圧力を表示するための装置であって、装置は、ストラップの端部を受けるとともに、使用時にストラップ端部と協働する変形可能なスプリング手段の作用に抗してストラップ端部を装置を通じて引張ることができるようになり、これにより、ストラップ端部が装置を通じて引張られ、それにより、対象物に加えられる圧力が漸進的に増大すると、その加えられる圧力に応じてスプリング手段が漸進的に偏位し、また、装置は、スプリング手段の偏位をポインタの動きに結び付ける手段を有し、ポインタがストラップにより加えられる圧力の表示を与える圧力表示装置を提供する。
【００１１】
一度きり使用の滅菌が重要でない場合、例えば先に簡単に概説したパイプ紐またはコンテナローリの例の場合には、スプリング手段が弾性変形可能であり、それにより、同じあるいは他の損傷していないストラップと共に圧力表示装置を再使用できることが好ましい。
【００１２】
ポインタは、スプリングの偏位が増大するにつれてストラップの幅寸法にわたって漸進的に移動するように方向付けられることが有益である。それは本発明の最も広範な態様において本発明の本質的特徴ではないが、視覚的に明らかに有益である。なぜなら、移動するストラップの幅先端が極端な直線的視覚データ基準の自然な文字通りのバンドを形成するからであり、データ基準間で、ユーザがポインタの開始位置からの移動の度合いを読み取ることが容易である。
【００１３】
本発明における任意の実施形態において、圧力表示装置は、ストラップ端部が装置を通じて引張られるときにストラップが対象物に対するその圧力を緩めることを防止する戻り止めゲートを有利に組み込んでもよい。本明細書中で、本発明者らは、ストラップがそのようにしてその圧力を緩めることを防止する任意の手段を規定するために用語「戻り止めゲート」を使用する。そのような機構は、それ自体知られ（頻繁に「一方向ラチェット」機構と称される）、装置上の協働する歯と相互作用するようにストラップに組み込まれてもよい。しかし、従来のストラップの表面を何ら変更することなくストラップを握るために装置内に全体的に組み込むことができ、且つ発明的思考を必要とすることなく本明細書の意図される巧みな扱いが選択される既知の種類の戻り止めゲートを使用することも本発明の範囲内に入る。
【００１４】
スプリング手段自体は、文字通りのスプリング、例えばコイル状の圧縮スプリングまたは引張スプリングであってもよい。本明細書中に記載される好ましい２つの実施形態において、スプリングは、ねじりスプリングであるが、弾力性のある伸縮バンドの形態をなすスプリング手段からなることができ、あるいは、任意のこれらの種類の文字通りのスプリングの自然な作用を増大させるためにそのようなバンドが使用されてもよい。
【００１５】
圧力表示装置が任意の適切な種類の戻り止めゲートを組み込む場合、その戻り止めゲートは、ストラップを破壊しなければその後に解放することができない種類であることが好ましい。これは、一度きりの使用の考え方を最良の効果まで促進させる。
【００１６】
使用時、この圧力表示装置は、適合する材料特性を有する任意の適切に寸法付けられたストラップに後から取り付けるために供給できるが、特にそれと協働するようになっているストラップと共に供給されることが有益であり、この場合、使用時に装置を通過し且つストラップの移動が止まるときに、すなわち、最大の印加圧力が得られたときにユーザが見ることができるストラップの部位に基準データがマークされる。そのようなデータ（好ましくは湾曲されたラインあるいは一連の点あるいは他の適切な標示データであってもよい）の利点は、所定の圧力に達したかあるいは所定の圧力を超えたか否かを示すためにポインタと視覚的に相互作用するその能力（装置が適切に較正される場合）にある。好ましい実施形態では、この状態が得られるときにポインタが文字通りラインと交わるが、ポインタがその移動時にラインに近づきあるいはラインを超える場合に同じ効果（例えば熟練したオペレータの手中にある）が得られるように、ラインまたは他のデータが視覚データとしてのみ作用すれば十分である。
【００１７】
理想的には、ストラップは、その破壊によってストラップを再使用できないようにするべく形成され、そのため、一度きりの使用の考え方がその頂点に達する。これは、既に議論された全ての理由のため、医療用止血帯の場合に特に重要である。
【００１８】
特定の実施形態において、ストラップは、実質的に伸張しない材料から形成されることが好ましく、それにより、ポインタ表示が不正確になる危険が最小になる。任意の他の構造において、例えば本質的に伸張しないストラップに作用する非常に強力な引張りが主にストラップを引き伸ばして最低限、ストラップを前方へ移動させるためだった場合にこの危険が存在する。
【００１９】
ここで、添付図面を参照して、本発明の現在の好ましい実施形態を単なる一例として説明する。
【００２０】
各図において、図２は、そのストラップに対して張力が加えられる前の圧力表示装置を平面図で示している。
【００２１】
図３は、正しい圧力が対象物に対して加えられたときの圧力表示装置を示している。
【００２２】
図４は、図３に類似しているが、圧力表示装置およびストラップが止血帯の様式で取り囲んでいる異なる周長を伴って正しい圧力が対象物に対して加えられたときの圧力表示装置を示している。
【００２３】
図７は図９の線ＡＡに沿う断面である。図８は図９の線ＢＢに沿う断面である。
【発明を実施するための最良の形態】
【００２４】
図１において、止血帯バックルの形態をなす圧力表示装置は、医療用止血帯を形成するために略平坦なテープストラップ１５と組み合わされる。この圧力表示装置は、略平坦なベース１２から実質的になる成形プラスチックハウジング１１の周囲に形成され、ベース１２の両側のそれぞれの縦方向縁部からは側壁１３、１４が立ち上がっている。圧力表示装置は、直線ストラップ上でもポイント間で同様に使用することができ、図示のループ状のストラップ１５だけに限られない。
【００２５】
ストラップ１５自体は、側壁１３および１４間で圧力表示装置の幅のほぼ全体にわたって延びるスロットにストラップを通過させた後に超音波スポット溶接１６のラインを使用してストラップ１５をそれ自体に対して固定することにより、装置の一端に留められる。この目的については後述する。止血帯ループは、スポット溶接１６がその周囲に付けられる端部と反対側の装置の端部に調整可能接続部１７を介してストラップ１５の他端を通過させて外部に取り出すことにより形成され、それにより、ユーザが装置ハウジング１１を通じて徐々に引張ることができ、したがって、圧力が加えられるべき対象物の周囲にループを徐々に締め付けることができるストラップ端部１８が形成される。
【００２６】
調整可能接続部１７は、既知の種類であってもよい戻り止めゲート２０、例えば前述した種類の一方向ラチェットを組み込んでいる。これにより、ストラップ１５の端部１８をハウジング１１を通じて一方向にだけ引張ることができる。そのため、止血帯のループを更に小さくすることしかできず、更に大きくすることはできない。
【００２７】
調整可能接続部１７は、ハウジング１１の長さに沿って限られた範囲まで移動できるが、最初はコイル状の圧縮スプリング１９によって所定位置に保持される。ストラップ１５に対してその端部１８を引張ることにより張力を加えると、例えばコイル状の引張スプリングまたはコイル状の圧縮スプリングが取り付けられるかどうかに応じてスプリングが伸張されあるいは圧縮される。この実施形態では、圧縮スプリング１９が圧縮され、それにより、調整可能接続部１７は、止血帯が使用中に取り囲む対象物に対して加えられる圧力に正比例して移動できる。
【００２８】
調整可能接続部１７は、リンク２１を介してポインタ２２に取り付けられる。リンク２１は、調整可能接続部１７に対して取り付けられる端部と反対側の圧縮スプリング１９の一端に固定され且つポインタベース内で図示のようにスロットと係合するピンの形態をなしている。このリンク２１は、ストラップ１５が引張られるときの圧縮スプリング１９の縦方向の偏位をピボット「Ｐ」を中心とするポインタ２２の端部の横方向の動きへと変換する。ポインタ２２の端部の動きは、ストラップ１５がハウジング１１を通過するときにポインタ２２の先端部がストラップ１５の端部部位の幅寸法方向に横断するという点で横方向である。
【００２９】
湾曲ライン２３の形態をなす基準データがストラップ１５上に印刷され、あるいはマークされている。湾曲ライン２３は、図示のように、ストラップ１５の幅を漸進的に横切って曲がっている。圧力表示装置は、ストラップによって加えられる特定の張力を止血帯が取り囲んで配置される対象物に対して加えられる特定の圧力に対応させることができるように較正され、それにより、ストラップ１５がハウジング１１を通じて引張られるにつれてポインタ２２が湾曲ライン２３と一致すると、適切な所定の圧力に達する。
【００３０】
図１〜図５に関連して示される特定の実施形態において、止血帯は、意図的に一度きりの使用の実施形態である。止血帯を解放するために、ユーザは、スポット溶接１６に隣接するストラップの部位で激しく引張らなければならない。これにより、スポット溶接１６が壊れ、ストラップ１５は緩むことができる。戻り止めゲート２０は、ユーザが止血帯の端部を緩めることによって止血帯を取り外すことを防止する。しかし、スポット溶接１６のラインが破断されると、ストラップ１５を再使用することができない。
【００３１】
図７〜図９の第２の実施形態において、ストラップ２５は、ハウジング２６内に入って、ハウジング２６の幅を横切って延び且つ２つの半体からなる成形ハウジング２６のベース半体２９の内側に保持されたトーションスプリング（ねじりスプリング）２８のボトムバーであるバー２７の周囲に掛け渡される。その後、ストラップ２５は、トーションスプリング２８のトップバー３１の周囲に巻き付けられる。トップバーの対向する脚部３８および３９は、半体ハウジング２９の底部から内部に互いに平行に延びている。トーションスプリング２８の一般的な形状は、図７から引き出される引き出し図に示され、また、トーションスプリング２８のトップバー３１が下方へ引張られる際には、その引張りがトーション要素の作用に抗して及ぼされることは言うまでもない。
【００３２】
その目的のため、トーションスプリング２８のトップバー３１の周囲に巻き付けられたストラップ２５（再び図７を参照）は、そのトップバー３１から下方へ導かれて、ボトムバー２７の周囲に掛け渡され、そのボトムバー２７の周囲で延びるそれ自体の当初の延在部位上にわたって送り出され、ストラップ端部２４として出現する。
【００３３】
ストラップ２５の２つの延在部がバー２７および３１を通り過ぎる際のこれらの延在部間の固有の摩擦は、２つの結果をなす。ハウジング内に最初に送り込まれるストラップ２５の端部（図７の下側延在部）が例えばスポット溶接によりハウジング２６内に差し込むクリップ（図示せず）に対して、あるいは他の固定点に対して固定される一方で、ストラップの末端２４が図７に示される矢印の方向に引張られる場合には、ストラップ端部２４がその相手側のストラップ２５の下側延在部上にわたって滑るが、トーションスプリング２８のトップバー３１が引き下げられるように摩擦が作用し、この摩擦により、トップバー３１がトーションスプリング２８自体に蓄えられたエネルギに抗して、すなわち、スプリングによる弾性復元作用に抗して偏位する。
【００３４】
ポインタ３２は、ハウジング２６のボトムハウジング半体２９中にモールドされるピボット３３上に自由回転可能に装着される。そのピボット１３の軸の両側に、それぞれ１つずつ薄い突起３４、３５を有するポインタ３２が一体成形されており、各突起３４、３５は、２つのリンク３６、３７のうちの対応するそれぞれのリンク３６、３７となって終端している。即ち、各突起３４、３５は、リンク３６、３７とポインタ３２と結合している。各リンク３６、３７の先端は、対向して延びる脚部３８、３９のうちの一方にクリップ留めされ、脚部３８、３９は、スプリングのトップバー３１を結合するように延びるトーションスプリング２８の構成要素である。
【００３５】
したがって、スプリングバー３１が上下に移動すると、リンク３６、３７が薄い突起３４、３５を介して作用し、それにより、ポインタ３２がそのピボット３３を中心に旋回する。リンク３６および３７の先端をスプリング脚部３８、３９にクリップ留めする手段は当業者により解決でき、また同様に、必要な旋回作用をポインタ３２に対して及ぼすために比較的十分に所定位置に留まりつつ、リンク３６、３７の先端をスプリング脚部３８、３９と共に上下に移動させることができる方法は、発明的思考を必要とすることなく明らかである。
【００３６】
この実施形態は、その本質的動作において、第１の実施形態と同様に作用する。即ち、ストラップ端部２４を引張ると、スプリングバー３１がトーションスプリング２８のトーションねじれ作用に抗して下方へ移動する。結果として生じるリンク３６、３７の動きにより、接続突起３４、３５がポインタ３２を（図９において見たときに）時計周りに旋回させ、また、ユーザが見てポインタ３２の端部４１が基準データライン４２と一致すると、装置によって加えられる所要圧力が得られる。無論、圧力表示装置はこの目的のために予め較正される。
【００３７】
この実施形態において、ストラップ２５がトーションスプリング２８と効果的に相互作用することにより、必要不可欠な戻り止めゲートだけでなくストラップ２５の張力を測定することを与えることになる。
【図面の簡単な説明】
【００３８】
【図１】第１の実施形態の斜視図である。
【図２】第１の実施形態の平面図である。
【図３】第１の実施形態の平面図である。
【図４】第１の実施形態の平面図である。
【図５】第１の実施形態の側断面図である。
【図６】第２の更に良好な実施形態の斜視図である。
【図７】第２の更に良好な実施形態の側断面図である。
【図８】第２の更に良好な実施形態の端面図である。
【図９】第２の更に良好な実施形態の平面図である。
【図１】
2009508613.tif 000003
【図２】
2009508613.tif 000004
【図３】
2009508613.tif 000005
【図４】
2009508613.tif 000006
【図５】
2009508613.tif 000007
【図６】
2009508613.tif 000008
【図７】
2009508613.tif 000009
【図８】
2009508613.tif 000010
【図９】
2009508613.tif 000011
【国際調査報告】
2009508613.tif 000012
2009508613.tif 000013
2009508613.tif 000014